(57)【要約】【課題】光ケーブルを簡便に固定することが可能な光ケーブル固定具を提供することにある。【解決手段】開口端部側から配される光ケーブルを差し渡し状態で挿入する一対の切り欠き部を径方向に対向して設けるとともに内面にネジ溝を設けた円筒形状の支持部材と、前記支持部材の底部側に固定される底部材と、前記光ケーブルを押圧する押さえ面と前記ネジ溝に螺合するネジ部を設け、前記ネジ溝に前記ネジ部を螺合して前記支持部材の一対の切り欠き部を介して差し渡し状態に挿入された前記光ケーブルを前記底部材とで把持する押し込み部材とを備えたことを特徴とする。【選択図】　　　図１
2004133082.tif 000002
【特許請求の範囲】
【請求項１】
開口端部側から配される鋼線入り光ケーブルを差し渡し状態で挿入する一対の切り欠き部を径方向に対向して設けるとともに内面にネジ溝を設けた円筒形状の支持部材と、
前記支持部材の底部側に固定される底部材と、
前記鋼線入り光ケーブルを押圧する押さえ面と前記ネジ溝に螺合するネジ部を設け、前記ネジ溝に前記ネジ部を螺合して前記支持部材の一対の切り欠き部を介して差し渡し状態で挿入された前記鋼線入り光ケーブルを前記底部材とで把持する押し込み部材と
を備えたことを特徴とする光ケーブル固定具。
【請求項２】
請求項１記載の光ケーブル固定具において、
前記押し込み部材は、前記押さえ面に前記鋼線入り光ケーブルの被覆に食い込む凹凸部が形成されている
ことを特徴とする光ケーブル固定具。
【請求項３】
請求項２記載の光ケーブル固定具において、
前記凹凸部は、前記鋼線入り光ケーブルを破損しない一定曲げＲを確保した扇形の複数のディンプル形状を為している
ことを特徴とする光ケーブル固定具。
【請求項４】
請求項１記載の光ケーブル固定具において、
前記押し込み部材は、回転操作部が形成されている
ことを特徴とする光ケーブル固定具。
【請求項５】
請求項４記載の光ケーブル固定具において、
前記回転操作部は、前記押し込み部材に設けたつまみである
ことを特徴とする光ケーブル固定具。
【請求項６】
請求項４記載の光ケーブル固定具において、
前記回転操作部は、前記押し込み部材に設けた凹部である
ことを特徴とする光ケーブル固定具。
【請求項７】
請求項１記載の光ケーブル固定具において、
前記押し込み部材は、前記支持部材の外側を覆うカバー部材を備えている
ことを特徴とする光ケーブル固定具。
【請求項８】
請求項１記載の光ケーブル固定具において、
前記押し込み部材は、前記ネジ部に緩み止めを備えている
ことを特徴とする光ケーブル固定具。
【請求項９】
請求項１記載の光ケーブル固定具において、
前記底部材は、電子機器容器である
ことを特徴とする光ケーブル固定具。
【請求項１０】
請求項１記載の光ケーブル固定具において、
前記底部材は、板状部材である
ことを特徴とする光ケーブル固定具。
【請求項１１】
請求項１記載の光ケーブル固定具において、
前記支持部材の内径より小さい円盤と、前記円盤に設けられ前記切り欠き部内に挿入可能な突起部とを備えた固定部材をさらに備えた
ことを特徴とする光ケーブル固定具。
【請求項１２】
請求項１１記載の光ケーブル固定具において、
前記固定部材は、前記円盤に前記鋼線入り光ケーブルの被覆に食い込む凹凸部が形成されている
ことを特徴とする光ケーブル固定具。
【請求項１３】
請求項１２記載の光ケーブル固定具において、
前記凹凸部は、前記鋼線入り光ケーブルを破損しない一定曲げＲを確保した扇形の複数のディンプル形状を為している
ことを特徴とする光ケーブル固定具。
【発明の詳細な説明】
【０００１】
【発明の属する技術分野】
本発明は、鋼線入り光ケーブルを固定する光ケーブル固定具に関する。
【０００２】
【従来の技術】
光ケーブルの中には、光ケーブル芯線およびこれを保護する鋼線とから成り、それぞれが光ケーブルの被覆内に収容されている。この鋼線を機器の一部などの装置に固定することにより、外部より負荷がかかったときにも、光ケーブルに直接負荷がかかるのを防ぎ、光ケーブルの破損を防止している。
近年では、この鋼線は光ケーブル芯線の径より一回り大きい鋼線を使用し、１芯の光ケーブルの場合、光ケーブル芯線の両端に配置され、光ケーブル芯線を包み込むように保護している。
【０００３】
この光ケーブルにおいても、鋼線を機器の一部にネジで固定し、光ケーブルの破損を防止していた。
しかし、この種の固定装置では、鋼線と光ケーブル芯線を分離する作業を必要とするため、作業が面倒であるという問題があった。
そこで、ケーブル固定具が提案されている（例えば、特許文献１、特許文献２、特許文献３参照）。
【０００４】
このケーブル固定具は、光ケーブルを把持する二つの部材の外側の面がテーパー面となっているくさび型クランプと、断面凹型で両側壁の内面がくさび型クランプのテーパー面に対応するテーパー面となっている固定ブロックとで構成され、固定ブロックの内側の相対するテーパー面の少なくとも一方には、くさび型クランプの前進に対しては引っ掛かり難いが後退に対しては引っ掛かり易い鋸歯状凹凸が形成されており、くさび型クランプのテーパー面には、鋸歯状凹凸に引っ掛かる形の爪部が形成されている。
【０００５】
このケーブル固定具では、まず、くさび型クランプの二つの部材の間に光ケーブルを配置し、一方の部材の嵌合凹部に他方の部材の両側壁を嵌合させるようにして、二つの部材で光ケーブルを挟む。この状態で、くさび型クランプを固定ブロックのテーパー面の間に挿入した後、固定ブロックの中でくさび型クランプを指で押して前進させる。すると、くさび型クランプは固定ブロックのテーパー面に押されて光ケーブルを強く把持するようになる。このとき二つの部材は互いに嵌合しているため光ケーブル方向に相対的にずれることがない。
【０００６】
くさび型クランプをそれ以上前進しないところまで押した後、指を離すと、くさび型クランプの爪部が固定ブロックの鋸歯状凹凸に入り込むため、くさび型クランプは後退できなくなり、光ケーブルを強く把持した状態（固定状態）が保たれることになる。その後、光ケーブルの固定を解除する必要が生じたときは、帯部をつまんでくさび型クランプを固定ブロックから上方へ引き抜けばよい。
【０００７】
【特許文献１】
特開平１０−３３２９５３号公報
【特許文献２】
特開２０００−８９０７０号公報
【特許文献３】
特開２００１−２６４５４４号公報
【発明か解決しようとする課題】
しかし、特開平１０−３３２９５３号公報に開示されるケーブル固定具は、二つの部材から成るくさび型クランプで光ケーブルを挟み込んだ後、このくさび型クランプを固定ブロックに固定するという手順を要するため、作業が面倒である。
【０００８】
また、光ケーブルを挟み込んだくさび型クランプを固定ブロックに固定する際に、光ケーブルが撓む方向に移動固定されるため、調整が難しいという問題があった。
本発明は、斯かる従来の問題点を解決するために為されたもので、その目的は、光ケーブルを簡便に固定することが可能な光ケーブル固定具を提供することにある。
【０００９】
【課題を解決するための手段】
請求項１に係る発明は、開口端部側から配される鋼線入り光ケーブルを差し渡し状態で挿入する一対の切り欠き部を径方向に対向して設けるとともに内面にネジ溝を設けた円筒形状の支持部材と、前記支持部材の底部側に固定される底部材と、前記鋼線入り光ケーブルを押圧する押さえ面と前記ネジ溝に螺合するネジ部を設け、前記ネジ溝に前記ネジ部を螺合して前記支持部材の一対の切り欠き部を介して差し渡し状態で挿入された前記鋼線入り光ケーブルを前記底部材とで把持する押し込み部材とを備えたことを特徴とする。
【００１０】
請求項２に係る発明は、請求項１記載の光ケーブル固定具において、前記押し込み部材は、前記押さえ面に前記鋼線入り光ケーブルの被覆に食い込む凹凸部が形成されていることを特徴とする。
請求項３に係る発明は、請求項２記載の光ケーブル固定具において、前記凹凸部は、前記鋼線入り光ケーブルを破損しない一定曲げＲを確保した扇形の複数のディンプル形状を為していることを特徴とする。
【００１１】
請求項４に係る発明は、請求項１記載の光ケーブル固定具において、前記押し込み部材は、回転操作部が形成されていることを特徴とする。
請求項５に係る発明は、請求項４記載の光ケーブル固定具において、前記回転操作部は、前記押し込み部材に設けたつまみであることを特徴とする。
請求項６に係る発明は、請求項４記載の光ケーブル固定具において、前記回転操作部は、前記押し込み部材に設けた凹部であることを特徴とする。
【００１２】
請求項７に係る発明は、請求項１記載の光ケーブル固定具において、前記押し込み部材は、前記支持部材の外側を覆うカバー部材を備えていることを特徴とする。
請求項８に係る発明は、請求項１記載の光ケーブル固定具において、前記押し込み部材は、前記ネジ部に緩み止めを備えていることを特徴とする。
【００１３】
請求項９に係る発明は、請求項１記載の光ケーブル固定具において、前記底部材は、電子機器容器であることを特徴とする。
請求項１０に係る発明は、請求項１記載の光ケーブル固定具において、前記底部材は、板状部材であることを特徴とする。
請求項１１に係る発明は、請求項１記載の光ケーブル固定具において、前記支持部材の内径より小さい円盤と、前記円盤に設けられ前記切り欠き部内に挿入可能な突起部とを備えた固定部材をさらに備えたことを特徴とする。
【００１４】
請求項１２に係る発明は、請求項１１記載の光ケーブル固定具において、前記固定部材は、前記円盤に前記鋼線入り光ケーブルの被覆に食い込む凹凸部が形成されている　ことを特徴とする。
請求項１３に係る発明は、請求項１２記載の光ケーブル固定具において、前記凹凸部は、前記鋼線入り光ケーブルを破損しない一定曲げＲを確保した扇形の複数のディンプル形状を為していることを特徴とする。
【００１５】
【発明の実施の形態】
以下、本発明を図面に示す実施形態に基づいて説明する。
図１ないし図４は、本発明の第一実施形態に係る光ケーブル固定具を示す（請求項１，２，３，４，５，１０に対応する）。
本実施形態に係る光ケーブル固定部１０は、鋼線入り光ケーブル１を開口端部１４側から差し渡し状態で挿入する一対の切り欠き部１２，１２を径方向に対向して設けるとともに内面にネジ溝１３，１３を設けた円筒形状の支持部材１１と、支持部材１１の底部側１５に固定される底部材１６と、鋼線入り光ケーブル１を押圧する押さえ面１８とネジ溝１３，１３に螺合するネジ部１９を設け、ネジ溝１３，１３にネジ部１９を螺合して支持部材１１の一対の切り欠き部１２，１２を介して差し渡し状態で挿入された鋼線入り光ケーブル１を底部材１６とで把持する押し込み部材１７とを備えている。
【００１６】
本実施形態では、円筒形状の支持部材１１は、板状部材から成る底部材１６と一体に成形されている。
鋼線入り光ケーブル１を開口端部１４側から差し渡し状態で挿入する一対の切り欠き部１２，１２は、鋼線入り光ケーブル１を挿入し得る幅を有するスリットによって構成されている。このスリットは、開口端部１４から底部材１６に向かって等幅で形成されている。
【００１７】
ネジ溝１３，１３は、ネジ部１９を螺合することができるものであれば、その形状構造は任意である。
底部材１６は、例えば、電子機器容器３０に設けた係止爪３２を有する固定部３１に差し込まれるようになっている。
押し込み部材１７は、円柱形状の本体１７ａの外周にネジ部１９を設けるとともに、円柱形状の本体１７ａの上部につまみから成る回転操作部２２を設けている。
【００１８】
押し込み部材１７は、図３に示すように、円柱形状の本体１７ａの下部に押さえ面１８を設け、この押さえ面１８に鋼線入り光ケーブル１の被覆４に食い込む凹凸部２０を形成している。凹凸部２０は、鋼線入り光ケーブル１を破損しない一定曲げＲを確保した扇形の複数のディンプル形状を為している。
本実施形態において、鋼線入り光ケーブル１は、図４に示すように、光ケーブル芯線２の両端に光ケーブル芯線２の径より一回り大きい鋼線３，３を配置し、これらを包み込む被覆４によって保護する構成となっている。
【００１９】
次に、斯くして構成された本実施形態に係る光ケーブル固定具１０の作用を説明する。
先ず、図１，図２に示すように、例えば、電子機器容器３０に設けた係止爪３２を有する固定部３１に、底部材１６を差し込んで固定する。
次に、支持部材１１の開口端部１４側から鋼線入り光ケーブル１を一対の切り欠き部１２，１２内に差し渡し状態で挿入し、底部材１６上に載置する。
【００２０】
次に、押し込み部材１７を支持部材１１のネジ溝１３，１３にネジ部１９を螺合しながら降下させ、押さえ面１８に設けた凹凸部２０を鋼線入り光ケーブル１の被覆４に食い込せる。これにより、面圧力と摩擦で鋼線入り光ケーブル１を押さえ込むこととなる。
以上により、本実施形態に係る光ケーブル固定具１０で鋼線入り光ケーブル１を固定することができる。
【００２１】
本実施形態では、鋼線入り光ケーブル１を支持部材１１の開口端部１４側から一対の切り欠き部１２，１２内に差し渡し状態で挿入した後、押し込み部材１７をねじ込んで鋼線入り光ケーブル１をねじ込み力を利用して締め付けるので、鋼線入り光ケーブル１の取付、固定が容易であり、締付け時に鋼線入り光ケーブル１を緩めるような外力を与えることがないため、確実に固定することができる。
【００２２】
しかも、押し込み部材１７は、押さえ面１８に設けた凹凸部２０が鋼線入り光ケーブル１を破損しない一定曲げＲを確保した扇形の複数のディンプル形状を為しているので、面圧力と摩擦で鋼線入り光ケーブル１を押さえ込むこととなり、鋼線入り光ケーブル１を確実に固定することができる。
なお、本実施形態では、底部材１６を板状部材で構成し、電子機器容器３０に設けた係止爪３２を有する固定部３１に底部材１６を差し込んで固定する場合について説明したが、電子機器容器３０に一体的に形成しても良い（請求項９）。この場合には、支持部材１１も一体的に形成される。
【００２３】
また、押し込み部材１７は、円柱形状の本体１７ａの上部につまみから成る回転操作部２２を設けた場合について説明したが、例えば、図５に示すように、工具を挿入できる凹部から成る回転操作部２２としても良い（請求項６）。
また、押し込み部材１７は、円柱形状の本体１７ａの外周にネジ部１９を設けた場合について説明したが、例えば、図６に示すように、ネジ部１９に凹凸のくさび形状から成る緩み止め１９ａを設けても良い（請求項８）。この場合には、押し込み部材１７に緩み方向への力が掛かると、緩み止め１９ａがネジ溝１３，１３に食い込んで阻止することができる。
【００２４】
図７および図８は、本発明の第二実施形態に係る光ケーブル固定具を示す（請求項１，２，３，４，５，７，１０に対応する）。
本実施形態に係る光ケーブル固定具４０は、押し込み部材１７にカバー部材４１を設けた点で、第一実施形態に係る光ケーブル固定具１０とは相違する。
カバー部材４１は、円柱形状の本体１７ａから径方向に突出する円盤部４２の外周部から円柱形状の本体１７ａの軸芯方向に垂下するように設けられている。カバー部材４１の長さは、支持部材１１の高さの１／３程度の長さにしてある。
【００２５】
カバー部材４１は、押し込み部材１７を支持部材１１にねじ込む際に、支持部材１１の広がりを防止する機能を有する。
従って、本実施形態によれば、押し込み部材１７を支持部材１１にねじ込む際の支持部材１１の広がりをカバー部材４１により防止することができる。
また、本実施形態においても、第一実施形態に係る光ケーブル固定具１０と同様の作用効果を奏することができる。
【００２６】
また、本実施形態においても、図５に示したような凹部から成る回転操作部２２としても良い。
また、本実施形態においても、図６に示したような緩み止め１９ａを押し込み部材１７のネジ部１９に設けても良い。
図９ないし図１１は、本発明の第三実施形態に係る光ケーブル固定具を示す（請求項１，２，３，４，５，１０，１１，１２，１３に対応する）。
【００２７】
本実施形態に係る光ケーブル固定具５０は、支持部材１１の内径より小さい円盤５２と、この円盤５２に設けられ一対の切り欠き部１２，１２内に挿入可能な突起部５３，５３とを備えた固定部材５１を、支持部材１１内に配した後に押し込み部材１７をねじ込むようにした点で、第一実施形態に係る光ケーブル固定具１０とは相違する。
【００２８】
固定部材５１は、鋼線入り光ケーブル１を押圧する押さえ面５２ａを円盤５２の一面に設けている。この押さえ面５２ａは、図１０に示すように、鋼線入り光ケーブル１の被覆４に食い込む凹凸部５２ｂを形成している。凹凸部５２ｂは、図１０に示すように、鋼線入り光ケーブル１を破損しない一定曲げＲを確保した扇形の複数のディンプル形状を為している。
【００２９】
本実施形態によれば、先ず、図１，図２に示すように、例えば、電子機器容器３０に設けた係止爪３２を有する固定部３１に、底部材１６を差し込んで固定する。
次に、支持部材１１の開口端部１４側から鋼線入り光ケーブル１を一対の切り欠き部１２，１２内に差し渡し状態で挿入し、底部材１６上に載置する。
【００３０】
次に、突起部５３，５３を一対の切り欠き部１２，１２内に宛いながら固定部材５１を支持部材１１内に落とし込む。
次に、固定部材５１に向かって押し込み部材１７を支持部材１１のネジ溝１３，１３にネジ部１９を螺合しながら降下させ、固定部材５１の押さえ面５２ａに設けた凹凸部５２ｂを鋼線入り光ケーブル１の被覆４に食い込せる。これにより、面圧力と摩擦で鋼線入り光ケーブル１を押さえ込むこととなる。
【００３１】
以上により、本実施形態に係る光ケーブル固定具５０で鋼線入り光ケーブル１を固定することができる。
本実施形態では、鋼線入り光ケーブル１を支持部材１１の開口端部１４側から一対の切り欠き部１２，１２内に差し渡し状態で挿入した後、その上に一対の切り欠き部１２，１２内に填り込む突起部５３，５３を有する固定部材５１を乗せ、さらにその上から押し込み部材１７をねじ込んで鋼線入り光ケーブル１をねじ込み力を利用して締め付けるので、鋼線入り光ケーブル１の取付が容易であり、締付け時に鋼線入り光ケーブル１を緩めるような外力を与えることがないため、確実に固定することができる。
【００３２】
しかも、固定部材５１は、突起部５３，５３が一対の切り欠き部１２，１２内に填り込んで拘束されているため、押し込み部材１７の押し込み力を底部材１６に向かって面圧を高めながら押さえ込まれる。従って、押し込み部材１７の回転による降下であるにも拘わらず、鋼線入り光ケーブル１に捻り力を与えることなく底部材１６に向かって一定方向に押し込み、凹凸部５２ｂによって確実に鋼線入り光ケーブル１を固定することができる。
【００３３】
なお、本実施形態においては、押し込み部材１７の押さえ面１８には凹凸部を設けない。
また、本実施形態においても、図５に示したような凹部から成る回転操作部２２としても良い。
また、本実施形態においても、図６に示したような緩み止め１９ａを押し込み部材１７のネジ部１９に設けても良い。
【００３４】
また、本実施形態においても、図７に示したようなカバー部材４１を押し込み部材１７に設けても良い。
【００３５】
【発明の効果】
本発明によれば、鋼線入り光ケーブルを支持部材の一対の切り欠き部に差し渡し状態で挿入した後に押し込み部材をねじ込んで支持部材に固定するので、固定が容易である。しかも、固定時に鋼線入り光ケーブルを緩めるような外力を与えることがないため、特別な操作を必要としない。
【図面の簡単な説明】
【図１】本発明の第一実施形態に係る光ケーブル固定具を示す分解斜視図である。
【図２】図１の光ケーブル固定具を示す側面図である。
【図３】（ａ）図１の光ケーブル固定具に用いる押し込み部材の平面図である。
（ｂ）図１の光ケーブル固定具に用いる押し込み部材の要部拡大図である。
【図４】本発明の第一実施形態に係る光ケーブル固定具により固定される鋼線入り光ケーブルを示す斜視図である。
【図５】図１の光ケーブル固定具に用いる押し込み部材の別の例を示す斜視図である。
【図６】図１の光ケーブル固定具に用いる押し込み部材のネジ部の別の例を示す拡大図である。
【図７】本発明の第二実施形態に係る光ケーブル固定具を示す一部切り欠き分解斜視図である。
【図８】図７の押し込み部材を用いた本発明の第二実施形態に係る光ケーブル固定具を示す側面図である。
【図９】本発明の第三実施形態に係る光ケーブル固定具を示す分解斜視図である。
【図１０】（ａ）図９の光ケーブル固定具に用いる固定部材の平面図である。
（ｂ）図１の光ケーブル固定具に用いる固定部材の要部拡大図である。
【図１１】図９の光ケーブル固定具を示す側面図である。
【符号の説明】
１　鋼線入り光ケーブル
２　光ケーブル芯線
３　鋼線
４　被覆
１０，４０，５０　光ケーブル固定部
１１　支持部材
１２　切り欠き部
１３　ネジ溝
１４　開口端部
１５　底部側
１６　底部材
１７　押し込み部材
１８　押さえ面
１９　ネジ部
１９ａ　緩み止め
２０　凹凸部
２２　回転操作部
３０　電子機器容器
３１　固定部
３２　係止爪
４１　カバー部材
４２　円盤部
５２　円盤
５３　突起部
５２ａ　押さえ面
５２ｂ　凹凸部
【図１】
2004133082.tif 000003
【図２】
2004133082.tif 000004
【図３】
2004133082.tif 000005
【図４】
2004133082.tif 000006
【図５】
2004133082.tif 000007
【図６】
2004133082.tif 000008
【図７】
2004133082.tif 000009
【図８】
2004133082.tif 000010
【図９】
2004133082.tif 000011
【図１０】
2004133082.tif 000012
【図１１】
2004133082.tif 000013